(57)【要約】【課題】治療時にユーザに与えられるパルス電圧の周波数が変化する場合でも、ユーザにとって快適な治療を行なうことが可能な電気治療器を提供する。【解決手段】電気治療器は、治療内容設定部と、治療実行部と、治療実行部により部位の治療が行なわれる前に、所定の周波数範囲に含まれる第１周波数のパルス電圧を出力する出力制御部とを備える。第１周波数のパルス電圧が出力された場合に、治療内容設定部は、ユーザが希望する電気刺激強度の入力を受け付ける。治療実行部は、ユーザが希望する電気刺激強度に対応するパルス電圧を所定の周波数範囲において変化させることにより部位の治療を実行する。【選択図】図１
2019083995.tif 000002
【特許請求の範囲】
【請求項１】
ユーザにより指定された治療内容を設定する治療内容設定部と、
前記ユーザの身体の部位に接触する複数の電極へ印加されるパルス電圧を制御することにより、前記治療内容に従って前記部位の治療を行なう治療実行部と、
前記治療実行部により前記部位の治療が行なわれる前に、所定の周波数範囲に含まれる第１周波数のパルス電圧を出力する出力制御部とを備え、
前記第１周波数のパルス電圧が出力された場合に、前記治療内容設定部は、ユーザが希望する電気刺激強度の入力を受け付け、
前記治療実行部は、前記ユーザが希望する電気刺激強度に対応するパルス電圧を前記所定の周波数範囲において変化させることにより前記部位の治療を実行する、電気治療器。
【請求項２】
前記出力制御部は、前記電気刺激強度を徐々に増大させ、当該電気刺激強度に対応するパルス電圧を前記第１周波数で出力する、請求項１に記載の電気治療器。
【請求項３】
前記第１周波数は、前記所定の周波数範囲における最大周波数、または２０Ｈｚ〜６０Ｈｚの範囲内の周波数である、請求項１または２に記載の電気治療器。
【請求項４】
前記第１周波数のパルス電圧が出力された場合に、前記治療内容設定部は、前記ユーザが希望する第１電気刺激強度の入力を受け付け、
前記出力制御部は、前記第１電気刺激強度に対応するパルス電圧を、前記周波数範囲に含まれる第２周波数で出力し、
前記第１電気刺激強度に対応するパルス電圧が前記第２周波数で出力され、前記第１電気刺激強度を用いた前記部位の治療の実行が前記ユーザにより許可された場合、前記治療実行部は、前記第１電気刺激強度に対応するパルス電圧を前記周波数範囲において変化させることにより前記部位の治療を実行する、請求項１または２に記載の電気治療器。
【請求項５】
前記第１周波数は、前記所定の周波数範囲における最大周波数であり、
前記第２周波数は、２０Ｈｚ〜６０Ｈｚの範囲内の周波数である、請求項４に記載の電気治療器。
【請求項６】
前記治療実行部は、前記周波数範囲における最小周波数から最大周波数へと増加する周波数の方向に掃引し、そして、前記最大周波数から前記最小周波数へと減少する周波数の方向に掃引することにより、前記パルス電圧の周波数を変化させる、請求項１〜５のいずれか１項に記載の電気治療器。
【請求項７】
前記電気治療器は、低周波治療器である、請求項１〜６のいずれか１項に記載の電気治療器。
【請求項８】
電気治療器の制御方法であって、
ユーザにより指定された治療内容を設定するステップと、
前記ユーザの身体の部位に接触する複数の電極へ印加されるパルス電圧を制御することにより、前記治療内容に従って前記部位の治療を実行するステップと、
前記実行するステップにより前記部位の治療が行なわれる前に、所定の周波数範囲に含まれる第１周波数のパルス電圧を出力するステップとを含み、
前記第１周波数のパルス電圧が出力された場合に、前記設定するステップは、ユーザが希望する電気刺激強度の入力を受け付けることを含み、
前記実行するステップは、前記ユーザが希望する電気刺激強度に対応するパルス電圧を前記所定の周波数範囲において変化させることにより前記部位の治療を実行することを含む、制御方法。
【請求項９】
端末装置と、
前記端末装置と無線通信可能に構成された電気治療器とを備え、
前記電気治療器は、
ユーザにより指定された治療内容を設定する治療内容設定部と、
前記ユーザの身体の部位に接触する複数の電極へ印加されるパルス電圧を制御することにより、前記治療内容に従って前記部位の治療を行なう治療実行部と、
前記治療実行部により前記部位の治療が行なわれる前に、所定の周波数範囲に含まれる第１周波数のパルス電圧を出力する出力制御部とを含み、
前記第１周波数のパルス電圧が出力された場合に、前記治療内容設定部は、前記端末装置を介してユーザが希望する電気刺激強度の入力を受け付け、
前記治療実行部は、前記ユーザが希望する電気刺激強度に対応するパルス電圧を前記所定の周波数範囲において変化させることにより前記部位の治療を実行する、治療システム。
【発明の詳細な説明】
【技術分野】
【０００１】
本開示は、電気治療器、制御方法、および治療システムに関する。
【背景技術】
【０００２】
従来、コリや痛みを緩和する電気治療器が知られている。このような電気治療器は、腹部や背中などの身体の表面に電極を接触させ、当該電極を介して筋肉に対して電気信号を出力することにより刺激を与える。
【０００３】
例えば、特開２００５−１６８６４２号公報（特許文献１）は、電気刺激装置を開示している。この電気刺激装置は、刺激信号の周波数および波形等を変化させて刺激をおこないながら各出力部の出力を検出し、当該出力が常に所定の値になるように制御する。
【先行技術文献】
【特許文献】
【０００４】
【特許文献１】特開２００５−１６８６４２号公報
【発明の概要】
【発明が解決しようとする課題】
【０００５】
特許文献１に係る電気刺激装置は、刺激信号の周波数を変化させて刺激を行なう。このように、所定の周波数範囲で周波数を変化させながら電気刺激を行なう場合、ユーザが感じる電気刺激が変化することになる。そのため、所定の周波数範囲内の特定の周波数で電気刺激が行なわれたときに、ユーザが意図しない電気刺激が与えられてしまい（例えば、刺激が強すぎる等）、ユーザを不快にさせてしまう可能性がある。特許文献１には、当該課題を解決するための技術については何ら教示ないし示唆されていない。
【０００６】
本開示のある局面における目的は、治療時にユーザに与えられるパルス電圧の周波数が変化する場合でも、ユーザにとって快適な治療を行なうことが可能な電気治療器、制御方法、および治療システムを提供することである。
【課題を解決するための手段】
【０００７】
本開示の一例では、ユーザにより指定された治療内容を設定する治療内容設定部と、ユーザの身体の部位に接触する複数の電極へ印加されるパルス電圧を制御することにより、治療内容に従って部位の治療を行なう治療実行部と、治療実行部により部位の治療が行なわれる前に、所定の周波数範囲に含まれる第１周波数のパルス電圧を出力する出力制御部とを備える。第１周波数のパルス電圧が出力された場合に、治療内容設定部は、ユーザが希望する電気刺激強度の入力を受け付ける。治療実行部は、ユーザが希望する電気刺激強度に対応するパルス電圧を所定の周波数範囲において変化させることにより部位の治療を実行する。
【０００８】
上記構成によれば、治療時にユーザに与えられるパルス電圧の周波数が変化する場合でも、ユーザにとって快適な治療を行なうことが可能となる。
【０００９】
本開示の他の例では、出力制御部は、電気刺激強度を徐々に増大させ、当該電気刺激強度に対応するパルス電圧を第１周波数で出力する。
【００１０】
上記構成によれば、ユーザを不快にさせることなく、治療時に用いられる電気刺激強度を調整することができる。
【００１１】
本開示の他の例では、第１周波数は、所定の周波数範囲における最大周波数、または２０Ｈｚ〜６０Ｈｚの範囲内の周波数である。
【００１２】
上記構成によれば、治療中に強すぎる電気刺激による不快感をユーザに与えることなく、あるいは、治療中に筋肉収縮の発生による不快感をユーザに与えることなく治療を行なうことができる。
【００１３】
本開示の他の例では、第１周波数のパルス電圧が出力された場合に、治療内容設定部は、ユーザが希望する第１電気刺激強度の入力を受け付ける。出力制御部は、第１電気刺激強度に対応するパルス電圧を、周波数範囲に含まれる第２周波数で出力する。第１電気刺激強度に対応するパルス電圧が第２周波数で出力され、第１電気刺激強度を用いた部位の治療の実行がユーザにより許可された場合、治療実行部は、第１電気刺激強度に対応するパルス電圧を周波数範囲において変化させることにより部位の治療を実行する。
【００１４】
上記構成によれば、ユーザにとってより快適な治療を行なうことができる。
本開示の他の例では、第１周波数は、所定の周波数範囲における最大周波数である。第２周波数は、２０Ｈｚ〜６０Ｈｚの範囲内の周波数である。
【００１５】
上記構成によれば、治療中に強すぎる電気刺激による不快感をユーザに与えることなく、かつ、治療中に筋肉収縮の発生による不快感をユーザに与えることなく治療を行なうことができる。
【００１６】
本開示の他の例では、治療実行部は、周波数範囲における最小周波数から最大周波数へと増加する周波数の方向に掃引し、そして、最大周波数から最小周波数へと減少する周波数の方向に掃引することにより、パルス電圧の周波数を変化させる。
【００１７】
上記構成によれば、ユーザが感じる電気刺激が徐々に強くなるため、ユーザに対して不快感を与える可能性をより低減することができる。
【００１８】
本開示の他の例では、電気治療器は、低周波治療器である。
上記構成によれば、ユーザはより適切な周波数範囲で治療を受けることができる。
【００１９】
本開示の他の例では、電気治療器の制御方法は、ユーザにより指定された治療内容を設定するステップと、ユーザの身体の部位に接触する複数の電極へ印加されるパルス電圧を制御することにより、治療内容に従って部位の治療を実行するステップと、実行するステップにより部位の治療が行なわれる前に、所定の周波数範囲に含まれる第１周波数のパルス電圧を出力するステップとを含む。第１周波数のパルス電圧が出力された場合に、設定するステップは、ユーザが希望する電気刺激強度の入力を受け付けることを含む。実行するステップは、ユーザが希望する電気刺激強度に対応するパルス電圧を所定の周波数範囲において変化させることにより部位の治療を実行することを含む。
【００２０】
上記構成によれば、治療時にユーザに与えられるパルス電圧の周波数が変化する場合でも、ユーザにとって快適な治療を行なうことが可能となる。
【００２１】
本開示の他の例では、治療システムは、端末装置と、端末装置と無線通信可能に構成された電気治療器とを備える。電気治療器は、ユーザにより指定された治療内容を設定する治療内容設定部と、ユーザの身体の部位に接触する複数の電極へ印加されるパルス電圧を制御することにより、治療内容に従って部位の治療を行なう治療実行部と、治療実行部により部位の治療が行なわれる前に、所定の周波数範囲に含まれる第１周波数のパルス電圧を出力する出力制御部とを含む。第１周波数のパルス電圧が出力された場合に、治療内容設定部は、端末装置を介してユーザが希望する電気刺激強度の入力を受け付ける。治療実行部は、ユーザが希望する電気刺激強度に対応するパルス電圧を所定の周波数範囲において変化させることにより部位の治療を実行する。
【発明の効果】
【００２２】
本開示によると、治療時にユーザに与えられるパルス電圧の周波数が変化する場合でも、ユーザにとって快適な治療を行なうことが可能となる。
【図面の簡単な説明】
【００２３】
【図１】本実施の形態に従う電気治療器を示す図である。
【図２】実施の形態１に従う電気治療器の外観の一例を示す図である。
【図３】実施の形態１に従う電気治療器のハードウェア構成の一例を表わすブロック図である。
【図４】パルス電圧波形のパラメータを説明するための図である。
【図５】実施の形態１に従う電気治療器の機能構成の一例を示すブロック図である。
【図６】実施の形態１に従う電気治療器の処理手順の一例を示すフローチャートである。
【図７】実施の形態１の変形例に従う電気治療器の処理手順の一例を示すフローチャートである。
【図８】実施の形態２に従う治療システムの概略的な構成を示す図である。
【図９】実施の形態２に従う電気治療器の構成の一例を示す斜視図である。
【図１０】実施の形態２に従う電気治療器に備えられる本体部をホルダおよびパッドから分離した状態を示す斜視図である。
【図１１】実施の形態２に従う端末装置のハードウェア構成の一例を表わすブロック図である。
【発明を実施するための形態】
【００２４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２５】
［適用例］
図１を参照して、本発明の適用例について説明する。図１は、本実施の形態に従う電気治療器２００を示す図である。
【００２６】
図１を参照して、電気治療器２００は、本体部である制御機器２０５と、治療部位（例えば、膝部）に貼り付けるための一対のパッド２７０とを含む。制御機器２０５とパッド２７０とは、コードにより電気的に接続される。サポータ４０は、ユーザの膝部全体を覆う膝用のサポータである。
【００２７】
電気治療器２００は、例えば、低周波パルス電流を供給することで、ユーザの膝の痛みの緩和、および肩凝りをほぐす等の治療を行なう低周波治療器である。低周波パルス電流の周波数は、例えば、１Ｈｚ〜１２００Ｈｚである。
【００２８】
パッド２７０は、シート状の形状を有し、ユーザの身体に取り付けられる。パッド２７０の一方の面（身体と接触しない面）には、他方の面（身体と接触する面）に形成されている電極（図示しない）に対応したプラグが設けられている。電極は、例えば、導電性のゲル状材料等により形成される。
【００２９】
制御機器２０５は、主な構成として、治療内容設定部３０２と、出力制御部３０４と、治療実行部３０６とを含む。治療内容設定部３０２は、ユーザから治療内容に関する各種指示を受け付けて、出力制御部３０４および治療実行部３０６に対して指示を与える。
【００３０】
治療実行部３０６は、ユーザからの治療指示に従って、ユーザの身体の部位（ここでは、膝）に接触する一対のパッド２７０の電極へ印加されるパルス電圧を制御することにより膝の治療を行なう。治療実行部３０６は、所定の周波数範囲Ｋ（例えば、１Ｈｚ〜２５０Ｈｚ）で周波数を連続的または段階的に繰り返して変化するパルス電圧を出力する。
【００３１】
例えば、治療実行部３０６により出力されるパルス電圧の電圧波形Ｄ１は、１Ｈｚから２５０Ｈｚまで連続的に増加し、２５０Ｈｚから１Ｈｚまで連続的に減少するようなスイープ波形である。所定の周波数範囲Ｋ（１Ｈｚ〜２５０Ｈｚ）は、電気治療器２００において、周波数が繰り返し変化するスイープ波形を用いた治療が行なわれる場合の周波数範囲として、当該電気治療器２００に予め設定されている周波数範囲である。なお、パルス電圧の振幅およびパルス幅等は、治療モードの選択指示、および電気刺激強度の調整指示に応じて適宜変更される。
【００３２】
典型的には、周波数が繰り返し変化するスイープ波形により治療が行なわれる場合には、制御機器２０５のディスプレイ等を用いて電気刺激強度の調整をユーザに促す。ユーザは、電気治療器２００に対して電気刺激強度の調整指示を与える。
【００３３】
出力制御部３０４は、治療実行部３０６から出力されるパルス電圧により膝の治療が開始される前に、電気刺激強度の調整指示に従うパルス電圧を、周波数範囲Ｋに含まれる周波数Ｆｓで出力する。典型的には、周波数Ｆｓは、周波数範囲Ｋ内において電気刺激が最も強いとユーザが感じる周波数に設定される。例えば、周波数範囲Ｋが１Ｈｚ〜２５０Ｈｚである場合には、周波数Ｆｓは最大周波数である２５０Ｈｚに設定される。この場合、出力制御部３０４により出力されるパルス電圧の電圧波形Ｄ２は、２５０Ｈｚのパルス波形である。
【００３４】
出力制御部３０４により、２５０Ｈｚのパルス電圧が出力された場合に、治療内容設定部３０２は、ユーザから希望の電気刺激強度の入力を受け付け、当該受け付けた電気刺激強度を治療時の電気刺激強度として設定する。そして、治療実行部３０６は、設定された電気刺激強度に対応するパルス電圧を周波数範囲Ｋにおいて変化させることにより膝の治療を実行する。
【００３５】
上記構成を有する電気治療器２００によると、ユーザは、周波数が繰り返し変化するスイープ波形により本格的な治療を受ける前に、最も電気刺激を感じ易い周波数で電気刺激強度を希望の強度に調整できる。そのため、治療が始まってから、電気刺激が強すぎることでユーザに不快感を与えたり、驚かせたりすることを防ぐことができる。
【００３６】
また、一般的に、筋肉が収縮しやすいとされる周波数範囲は、２０Ｈｚ〜６０Ｈｚである。また、筋肉の収縮は、電気刺激強度が大きいほど発生しやすいとされている。そこで、上述した周波数Ｆｓを２０Ｈｚ〜６０Ｈｚの範囲内の周波数に設定してもよい。この場合、周波数範囲Ｋ内において筋肉が収縮しやすい周波数で電気刺激強度を希望の強度に調整できる。そのため、治療が始まってから、筋肉の収縮が発生することでユーザに不快感を与えたり、驚かせたりすることを防ぐことができる。
【００３７】
このように、電気治療器２００によると、治療時にユーザに与えられるパルス電圧の周波数が変化する場合でも、ユーザにとって快適な治療を行なうことが可能となる。
【００３８】
［構成例］
＜実施の形態１＞
（外観）
図２は、実施の形態１に従う電気治療器２００の外観の一例を示す図である。図２を参照して、電気治療器２００は、制御機器２０５と、一対のパッド２７０と、制御機器２０５とパッド２７０とを電気的に接続するためのコード２８０とを含む。
【００３９】
コード２８０のプラグ２８２とパッド２７０側のプラグとを接続し、コード２８０を制御機器２０５のジャックに差し込むことにより、制御機器２０５とパッド２７０とが接続される。なお、一方のパッド２７０に形成されている電極の極性がプラスの場合、他方のパッド２７０に形成されている電極の極性はマイナスとなる。
【００４０】
制御機器２０５には、各種ボタンで構成される入力インターフェイス２３０と、ディスプレイ２６０とが設けられている。入力インターフェイス２３０は、電源のオン／オフを切り替えるための電源ボタン、治療モードの選択を行うためのモード選択ボタン、治療開始ボタン、電気刺激強度の調整を行うための調整ボタン等を含む。なお、入力インターフェイス２３０は、上記構成に限られず、後述するユーザによる各種操作を実現できる構成であればよい。入力インターフェイス２３０は、例えば、その他のボタン、ダイヤルやスイッチ等により構成されていてもよい。
【００４１】
ディスプレイ２６０には、電気刺激強度、治療の残り時間、治療モード、パッド２７０の装着状態等が表示されたり、各種メッセージが表示されたりする。
【００４２】
（ハードウェア構成）
図３は、実施の形態１に従う電気治療器２００のハードウェア構成の一例を表わすブロック図である。図３を参照して、電気治療器２００は、プロセッサ２１０と、メモリ２２０と、入力インターフェイス２３０と、電源部２４０と、波形生成出力装置２５０と、ディスプレイ２６０とを含む。
【００４３】
プロセッサ２１０は、典型的には、ＣＰＵ（Central  Processing  Unit）やＭＰＵ（Multi  Processing  Unit）といった演算処理部である。プロセッサ２１０は、メモリ２２０に記憶されたプログラムを読み出して実行することで、電気治療器２００の各部の動作を制御する制御部として機能する。プロセッサ２１０は、当該プログラムを実行することによって、後述する電気治療器２００の処理（ステップ）の各々を実現する。
【００４４】
メモリ２２０は、ＲＡＭ（Random  Access  Memory）、ＲＯＭ（Read-Only  Memory）、フラッシュメモリなどによって実現される。メモリ２２０は、プロセッサ２１０によって実行されるプログラム、またはプロセッサ２１０によって用いられるデータなどを記憶する。
【００４５】
入力インターフェイス２３０は、電気治療器２００に対する操作入力を受け付け、上述したような各種ボタンより構成される。ユーザによって、各種ボタンが操作されると、当該操作による信号がプロセッサ２１０に入力される。
【００４６】
電源部２４０は、電気治療器２００の各構成要素に電力を供給する。電源としては、例えば、アルカリ乾電池、または、リチウムイオン電池やニッケル水素電池などの二次電池が用いられ、電池電圧を安定化して各構成要素に供給する駆動電圧を生成する。
【００４７】
波形生成出力装置２５０は、パッド２７０を介してユーザの身体の治療部位に流れる電流（以下、「治療電流」とも称する。）を出力する。波形生成出力装置２５０は、昇圧回路、電圧調整回路、出力回路、電流検出回路等を含む。
【００４８】
昇圧回路は、電源電圧を所定の電圧に昇圧する。電圧調整回路は、昇圧回路により昇圧された電圧を、ユーザにより設定された電気刺激強度に対応する電圧に調整する。具体的には、電気治療器２００では、調整ボタンにより所定数のレベル（例えば、１０レベル）で、電気刺激の調整が設定可能である。プロセッサ２１０は、調整ボタンを介して電気刺激強度の設定入力を受け付け、当該受け付けた電気刺激強度に対応する電圧に調整するように波形生成出力装置２５０（電圧調整回路）に指示する。
【００４９】
出力回路は、電圧調整回路により調整された電圧に基づいて、治療モードに応じた治療波形（パルス波形）を生成し、当該治療波形をコード２８０を介してパッド２７０（の電極）に出力する。具体的には、入力インターフェイス２３０を介して、ユーザにより、治療モードの切替、電気刺激強度の変更等の操作が行われると、その操作内容に応じた制御信号がプロセッサ２１０から出力回路に入力される。出力回路は、当該制御信号に従う治療波形を出力する。
【００５０】
ここで、電気治療器２００には、複数の治療モードが予め用意されている。例えば、治療モードとしては、「もみ」、「たたき」、「押し」、「スイープ」モード等が挙げられる。
【００５１】
出力回路は、パルスの波形（パルス幅、パルス間隔、周波数、出力極性を含む）等を変化させることにより、「もみ」、「たたき」、「押し」、「スイープ」といった様々なモードに対応する電気刺激を生成できる。また、出力回路は、パルス電圧の振幅を変化させることにより、電気刺激強度を調整する。なお、出力回路は、パルス幅を変化させることにより電気刺激強度を調整する構成であってもよい。具体的なパルス電圧波形については、公知の波形を利用することができる。
【００５２】
図４は、パルス電圧波形のパラメータを説明するための図である。図４を参照して、パルス電圧波形のパラメータは、振幅（電圧）Ｖと、パルス幅Ｗと、パルス周期Ｔ（すなわち、パルス周波数Ｆ＝１／Ｔ）とを含む。プロセッサ２１０は、これら３つのパラメータのうち少なくとも１つのパラメータを変更することにより、ユーザに対する治療内容を変更できる。
【００５３】
再び、図３を参照して、電流検出回路は、一対のパッド２７０間に流れる電流の値を検出し、当該検出された値を示す信号をプロセッサ２１０に入力する。プロセッサ２１０は、電流検出回路から入力される電流値を利用して、パッド２７０がユーザに装着されている（貼られている）状態なのか、パッド２７０がユーザに装着されていない（剥がれている）状態なのかを検出できる。
【００５４】
具体的には、プロセッサ２１０は、当該電流値が所定値以上である場合には複数の電極が接触されている（すなわち、一対のパッド２７０がユーザに装着されている）と判定し、当該電流値が所定値未満である場合には複数の電極のうちの少なくとも一方が接触していない（すなわち、一対のパッド２７０のうちの少なくとも一方がユーザに装着されていない）と判定する。これは、一対のパッド２７０の少なくとも一方がユーザに適切に装着されていない場合には、一方のパッド２７０から出力され、人体を通り、他方のパッド２７０に戻るという電流ループが成立しないため、所定値以上の電流が流れないという原理を利用している。
【００５５】
ディスプレイ２６０は、例えば、ＬＣＤ（liquid  crystal  display）で構成されており、プロセッサ２１０からの指示に従って各種情報を表示する。
【００５６】
（機能構成）
図５は、実施の形態１に従う電気治療器２００の機能構成の一例を示すブロック図である。図５を参照して、電気治療器２００は、治療内容設定部３０２と、出力制御部３０４と、治療実行部３０６と、表示制御部３０８とを含む。
【００５７】
治療内容設定部３０２は、ユーザから指定された治療内容を設定する。具体的には、治療内容設定部３０２は、入力インターフェイス２３０を介して、当該治療内容の設定入力を受け付ける。治療内容は、治療モードおよび電気刺激強度を含む。治療内容設定部３０２は、治療内容に従う治療を行なう時間である治療時間の設定入力をユーザから受け付けてもよい。ただし、治療時間は、予め設定された固定時間であってもよい。
【００５８】
治療内容設定部３０２は、ユーザから指定された治療モードが、周波数範囲Ｋで周波数が変化するパルス電圧を用いて治療を行なうモード（すなわち、スイープ波形を用いるモード）であると判断した場合、電気刺激強度を調整するための処理を実行する。
【００５９】
具体的には、治療内容設定部３０２は、電気刺激強度の調整パターンの選択画面を表示するように表示制御部３０８に指示する。表示制御部３０８は、調整パターンの選択画面をディスプレイ２６０に表示させる。例えば、選択画面は、周波数範囲Ｋにおける最大周波数のパルス電圧を出力することにより電気刺激強度を調整するパターンＰａ、または、２０Ｈｚ〜６０Ｈｚのパルス電圧を出力することにより電気刺激強度を調整するパターンＰｂをユーザに選択させる画面である。例えば、ユーザは、強すぎる電気刺激に対して不快感を感じ易い場合にはパターンＰａを選択し、筋肉収縮の発生に対して不快感を感じ易い場合にはパターンＰｂを選択する。
【００６０】
治療内容設定部３０２は、入力インターフェイス２３０を介してパターンＰａの選択指示を受け付けた場合、最大周波数でパルス電圧を出力するように出力制御部３０４に指示する。治療内容設定部３０２は、パターンＰｂの選択指示を受け付けた場合、２０Ｈｚ〜６０Ｈｚに含まれる周波数でパルス電圧を出力するように出力制御部３０４に指示する。
【００６１】
出力制御部３０４は、電気刺激強度の調整用のパルス電圧をパッド２７０に印加する。具体的には、出力制御部３０４は、治療内容設定部３０２の指示に従う周波数Ｆｓ（すなわち、最大周波数、あるいは、２０Ｈｚ〜６０Ｈｚに含まれる周波数）でパルス電圧を出力する。
【００６２】
典型的には、出力制御部３０４は、電気刺激強度を徐々に増大させ、当該電気刺激強度に対応するパルス電圧を周波数Ｆｓで出力する。電気刺激強度の初期値は、例えば、所定数のレベル（例えば、１０レベル）のうち最も低いレベル（例えば、レベル１）に設定されている。出力制御部３０４は、所定時間が経過するごとに、レベルを１つずつ上げていき、徐々に電気刺激強度を増大させる。なお、治療内容設定部３０２は、入力インターフェイス２３０を介して、ユーザから電気刺激強度の指示入力を受け付けてもよい。この場合、出力制御部３０４は、指示入力に従う電気刺激強度に対応するパルス電圧を周波数Ｆｓで出力する。
【００６３】
次に、治療内容設定部３０２は、出力制御部３０４により周波数Ｆｓのパルス電圧が出力された場合に、ユーザが希望する電気刺激強度の入力を受け付ける。例えば、治療内容設定部３０２は、希望する電気刺激強度のレベル「６」の入力を受け付けた場合、スイープ波形を用いる治療モードにおける電気刺激強度のレベルを「６」に設定する。
【００６４】
治療実行部３０６は、治療用のパルス電圧をパッド２７０に印加する。具体的には、治療実行部３０６は、ユーザが希望する電気刺激強度（例えば、レベル「６」）に対応するパルス電圧を周波数範囲Ｋにおいて変化させることにより、治療部位の治療を実行する。典型的には、治療実行部３０６は、周波数範囲Ｋにおける最小周波数（例えば、１Ｈｚ）から最大周波数（例えば、２５０Ｈｚ）へと増加する周波数の方向に掃引し、そして、最大周波数から最小周波数へと減少する周波数の方向に掃引することにより、パルス電圧の周波数を変化させる。なお、治療実行部３０６は、周波数範囲Ｋ内であれば、治療モードに応じて周波数を任意に変化させてもよい。
【００６５】
（処理手順）
図６は、実施の形態１に従う電気治療器２００の処理手順の一例を示すフローチャートである。図６中の各ステップは、主に、電気治療器２００のプロセッサ２１０により実行される。
【００６６】
図６を参照して、電気治療器２００は、入力インターフェイス２３０を介して、治療内容の設定入力を受け付ける（ステップＳ１０）。具体的には、電気治療器２００は、治療モードおよび電気刺激強度の設定入力を受け付ける。
【００６７】
電気治療器２００は、受け付けた治療モードが周波数範囲Ｋにおいて周波数を変化させる（すなわち、スイープ波形を用いる）治療モードであるか否かを判断する（ステップＳ１２）。受け付けた治療モードがスイープ波形を用いる治療モードではない場合には（ステップＳ１２においてＮＯ）、電気治療器２００は、治療を開始する（ステップＳ１４）。具体的には、電気治療器２００は、治療ステップＳ１０において受け付けた治療内容に従ってパルス電圧を出力する。続いて、後述するステップＳ２８の処理が実行される。
【００６８】
受け付けた治療モードがスイープ波形を用いる治療モードである場合には（ステップＳ１２においてＹＥＳ）、電気治療器２００は、電気刺激強度の調整画面をディスプレイ２６０に表示する（ステップＳ１６）。調整画面は、上述したパターンＰａおよびパターンＰｂのいずれで電気刺激強度を調整するのかをユーザに選択させる画面である。
【００６９】
電気治療器２００は、パターンＰａで電気刺激強度を調整するか否かを判断する（ステップＳ１８）。具体的には、電気治療器２００は、調整画面表示時に、入力インターフェイス２３０を介して、パターンＰａの選択を受け付けたか否かを判断する。
【００７０】
電気治療器２００は、パターンＰａの選択を受け付けた（すなわち、パターンＰａで電気刺激強度を調整する）場合には（ステップＳ１８においてＹＥＳ）、周波数範囲Ｋにおける最大周波数のパルス電圧を出力する（ステップＳ２０）。典型的には、電気治療器２００は、パルス周波数を最大周波数に固定し、電気刺激強度（例えば、パルス電圧の振幅）を徐々に増大させていく。
【００７１】
電気治療器２００は、入力インターフェイス２３０を介して、希望の電気刺激強度の入力を受け付けたか否かを判断する（ステップＳ２２）。当該入力を受け付けていない場合には（ステップＳ２２においてＮＯ）、電気治療器２００はステップＳ２０の処理を実行する。当該入力を受け付けた場合には（ステップＳ２２においてＹＥＳ）、電気治療器２００は、受け付けた電気刺激強度を治療実行時の電気刺激強度として設定する（ステップＳ２４）。
【００７２】
電気治療器２００は、ユーザの治療部位の治療を開始する（ステップＳ２６）。具体的には、電気治療器２００は、設定された電気刺激強度に対応するパルス電圧を周波数範囲Ｋにおいて変化させることにより、治療部位の治療を実行する。なお、電気治療器２００は、入力インターフェイス２３０を介して、治療開始指示を受け付けた場合に治療を開始してもよい。
【００７３】
続いて、電気治療器２００は、入力インターフェイス２３０を介して、ユーザから治療内容の設定を変更するための設定変更入力を受け付けたか否かを判断する（ステップＳ２８）。当該設定変更入力を受け付けた場合には（ステップＳ２８においてＹＥＳ）、電気治療器２００はステップＳ１２に戻る。すなわち、電気治療器２００は、変更された治療内容に含まれる治療モードがスイープ波形を用いる治療モードであるか否かを判断する。
【００７４】
当該設定変更入力を受け付けていない場合には（ステップＳ２８においてＮＯ）、電気治療器２００は治療時間が経過したか否かを判断する（ステップＳ３０）。治療時間が経過していない場合には（ステップＳ３０においてＮＯ）、電気治療器２００はステップＳ２８に戻る。すなわち、電気治療器２００は治療を続行する。治療時間が経過した場合には（ステップＳ３０においてＹＥＳ）、電気治療器２００は処理を終了する。
【００７５】
ここで、ステップＳ１８に戻って、電気治療器２００は、パターンＰａの選択を受け付けていない（すなわち、パターンＰａで電気刺激強度を調整しない）場合には（ステップＳ１８においてＮＯ）、パターンＰｂで電気刺激強度を調整するか否かを判断する（ステップＳ３２）。
【００７６】
電気治療器２００は、パターンＰｂの選択を受け付けた（すなわち、パターンＰｂで電気刺激強度を調整する）場合には（ステップＳ３２においてＹＥＳ）、２０Ｈｚ〜６０Ｈｚの範囲内の周波数（ここでは、６０Ｈｚとする）のパルス電圧を出力する（ステップＳ３４）。典型的には、電気治療器２００は、パルス周波数を６０Ｈｚに固定し、電気刺激強度を徐々に増大させていく。なお、電気治療器２００は、２０Ｈｚ〜６０Ｈｚの範囲で周波数を繰り返し変化させつつ、電気刺激強度を徐々に増大させてもよい。
【００７７】
具体的には、電気治療器２００（出力制御部３０４）は、電気刺激強度Ａ１（例えば、レベル１）に対応するパルス電圧を、２０Ｈｚ〜６０Ｈｚの範囲で周波数を連続的または段階的に繰り返して変化させながら出力する。続いて、電気治療器２００（出力制御部３０４）は、電気刺激強度Ａ１に対応するパルス電圧を出力してから所定時間が経過すると、増大した電気刺激強度Ａ２（例えば、レベル２）に対応するパルス電圧を、２０Ｈｚ〜６０Ｈｚの範囲で周波数を連続的または段階的に繰り返して変化させながら出力する。このように、電気治療器２００（出力制御部３０４）は、２０Ｈｚ〜６０Ｈｚの範囲で周波数を変化させながら、所定時間が経過するごとに電気刺激強度を増大させる。これにより、ユーザは、筋肉の収縮が発生しやすい周波数範囲において、より適切な電気刺激強度を設定することができる。
【００７８】
電気治療器２００は、入力インターフェイス２３０を介して、希望の電気刺激強度の入力を受け付ける（ステップＳ３６）。当該入力を受け付けていない場合には（ステップＳ３６においてＮＯ）、電気治療器２００はステップＳ３４の処理を実行する。
【００７９】
なお、電気治療器２００は、パターンＰｂの選択を受け付けていない（すなわち、パターンＰｂでも電気刺激強度を調整しない）場合には（ステップＳ３２においてＮＯ）、ステップＳ１４の処理を実行する。この場合、電気治療器２００は、上述した電気刺激強度の調整は行なわれず、ステップＳ１０においてユーザによって指定された電気刺激強度で治療が行なわれる。
【００８０】
（変形例）
上述した実施の形態１では、周波数範囲Ｋにおける最大周波数、あるいは２０Ｈｚ〜６０Ｈｚの範囲内の周波数を利用して、スイープ波形を用いる治療モードで用いられる電気刺激強度を設定する構成について説明した。実施の形態１の変形例では、最大周波数、および２０Ｈｚ〜６０Ｈｚの範囲内の周波数の両方を利用して、当該電気刺激強度を設定する構成について説明する。
【００８１】
図５を参照して、治療内容設定部３０２は、ユーザから指定された治療モードが、周波数範囲Ｋにおいて周波数が変化するパルス電圧を用いて治療を行なうモードである場合、最大周波数でパルス電圧を出力するように出力制御部３０４に指示する。
【００８２】
続いて、当該指示に従って出力制御部３０４により最大周波数Ｆ１のパルス電圧が出力された場合において、治療内容設定部３０２はユーザが希望する電気刺激強度ＳＴの入力を受け付ける。治療内容設定部３０２は、電気刺激強度ＳＴに対応するパルス電圧を出力するように出力制御部３０４に指示する。出力制御部３０４は、電気刺激強度ＳＴに対応するパルス電圧を、２０Ｈｚ〜６０Ｈｚに含まれる周波数Ｆ２で出力する。
【００８３】
電気刺激強度ＳＴに対応するパルス電圧が周波数Ｆ２で出力された場合に、治療内容設定部３０２は、電気刺激強度ＳＴを用いた治療の実行に対する許可を求める許可画面を表示するように表示制御部３０８に指示する。表示制御部３０８は、当該許可画面をディスプレイ２６０に表示させる。許可画面は、電気刺激強度ＳＴを用いた治療の実行を許可するのか、禁止するのかをユーザに選択させる画面である。
【００８４】
治療内容設定部３０２は、ユーザにより当該治療の実行を許可する指示を受け付けた場合、電気刺激強度ＳＴを治療に用いる電気刺激強度として設定する。治療実行部３０６は、設定された電気刺激強度に対応するパルス電圧を周波数範囲Ｋにおいて変化させることにより治療部位の治療を実行する。
【００８５】
図７は、実施の形態１の変形例に従う電気治療器２００の処理手順の一例を示すフローチャートである。図７中の各ステップは、主に、電気治療器２００のプロセッサ２１０により実行される。
【００８６】
図７を参照して、ステップＳ５０，Ｓ５２，Ｓ５４の処理は、それぞれ、図５中のステップＳ１０，Ｓ１２，Ｓ１４の処理と同様であるため、その詳細な説明は繰り返さない。
【００８７】
受け付けた治療モードがスイープ波形を用いる治療モードである場合には（ステップＳ５２においてＹＥＳ）、電気治療器２００は、周波数範囲Ｋにおける最大周波数のパルス電圧を出力する（ステップＳ５６）。電気治療器２００は、入力インターフェイス２３０を介して、希望の電気刺激強度ＳＴの入力を受け付けたか否かを判断する（ステップＳ５８）。
【００８８】
当該入力を受け付けていない場合には（ステップＳ５８においてＮＯ）、電気治療器２００はステップＳ５６の処理を実行する。当該入力を受け付けた場合には（ステップＳ５８においてＹＥＳ）、電気治療器２００は、電気刺激強度ＳＴに対応するパルス電圧を６０Ｈｚで出力する（ステップＳ６０）。
【００８９】
電気治療器２００は、電気刺激強度ＳＴに対応するパルス電圧を６０Ｈｚで出力した場合に、当該電気刺激強度ＳＴを治療実行時の電気刺激強度として許可するか否かを判断する（ステップＳ６２）。典型的には、電気治療器２００は、入力インターフェイス２３０を介して、電気刺激強度ＳＴを用いた治療の実行に対する許可指示を受け付ける。
【００９０】
電気治療器２００は、当該許可指示を受け付けていない場合（すなわち、ユーザにより許可されなかった場合）には（ステップＳ６２においてＮＯ）、ステップＳ５６の処理を実行する。これにより、ユーザは、電気刺激強度ＳＴを再調整することができる。電気治療器２００は、当該許可指示を受け付けた場合には（ステップＳ６２においてＹＥＳ）、許可された電気刺激強度ＳＴを治療実行時の電気刺激強度として設定する（ステップＳ６４）。
【００９１】
電気治療器２００は、ユーザの治療部位の治療を開始する（ステップＳ６６）。具体的には、電気治療器２００は、設定された電気刺激強度ＳＴに対応するパルス電圧を周波数範囲Ｋにおいて変化させることにより、治療部位の治療を実行する。ステップＳ６８およびＳ７０の処理は、図５中のステップＳ２８およびＳ３０と同様であるため、その詳細な説明は繰り返さない。
【００９２】
＜実施の形態２＞
（システム構成）
実施の形態１では、電気治療器単体でユーザの治療を行なう構成について説明した。実施の形態２では、端末装置および電気治療器が無線接続されており、端末装置からの指示に従って電気治療器が治療を行なう構成について説明する。なお、端末装置は、主に、実施の形態１における電気治療器２００の入力インターフェイス２３０およびディスプレイ２６０としての役割を担う。
【００９３】
図８は、実施の形態２に従う治療システム１の概略的な構成を示す図である。図８を参照して、治療システム１は、ユーザ端末である端末装置１０と、電気治療器２０Ａ，２０Ｂと、ネットワーク３０とを含む。以下では、電気治療器２０Ａ，２０Ｂの各々に共通の構成や機能を説明する際には、それらを「電気治療器２０」と総称する。
【００９４】
電気治療器２０は、コードレスタイプであり、使用時に一体とされるパッド、ホルダ、本体部を有し、これら各部を組み合わせて治療を行なう。電気治療器２０の具体的な構成については後述する。
【００９５】
端末装置１０は、例えば、タッチパネルを備えるスマートフォンである。以下では、スマートフォンを「端末装置」の代表例として説明を行なう。ただし、端末装置は、折り畳み式携帯電話、タブレット端末装置、ＰＣ（personal  computer）、ＰＤＡ（Personal  Data  Assistance）などのような他の端末装置であってもよい。
【００９６】
端末装置１０と電気治療器２０とを接続するためのネットワーク３０は、近距離無線通信方式を採用しており、典型的には、ＢＬＥ（Bluetooth（登録商標）  low  energy）が採用される。そのため、端末装置１０および電気治療器２０は、ＢＬＥを用いて無線通信を行なう機能を有するＢＬＥデバイスである。ただし、ネットワーク３０は、これに限られず、Ｂｌｕｅｔｏｏｔｈ（登録商標）、無線ＬＡＮ（local  area  network）等のその他の無線通信方式を採用してもよい。
【００９７】
実施の形態２に従う治療システム１では、端末装置１０は、インストールされているアプリケーションを利用して、ペアリング接続された電気治療器２０Ａ，２０Ｂに各種指示を行なう。また、端末装置１０は、各種情報をディスプレイ１５８に表示して、必要な情報をユーザに報知する。例えば、端末装置１０は、電気治療器２０から受信した情報をディスプレイ１５８に表示してもよい。
【００９８】
（電気治療器２０の構成）
図９は、実施の形態２に従う電気治療器２０の構成の一例を示す斜視図である。図１０は、実施の形態２に従う電気治療器２０に備えられる本体部４をホルダ３およびパッド２から分離した状態を示す斜視図である。
【００９９】
図９および図１０を参照して、電気治療器２０は、いわゆるコードレスタイプの低周波治療器であり、パッド２、ホルダ３、本体部４を備える。
【０１００】
パッド２は、シート状の形状を有し、ユーザの身体に取り付けられる。パッド２の外表面のうち、身体に対向する身体側部２１の表面（下面）には、導電層２ａが設けられる。パッド２は、導電性のゲル等を使用してユーザの皮膚上に貼り付けられ、導電層２ａを通してユーザに低周波パルス電流が供給される。
【０１０１】
図１０を参照して、パッド２は、取付部２Ｘおよび治療部２Ｙを有する。取付部２Ｘは、ホルダ３によって保持される。取付部２Ｘには、窓部２３および貫通孔２Ｈが設けられている。窓部２３の内側には、ホルダ３の位置決め突起３１２が配置される。貫通孔２Ｈには、ホルダ３のインターロックピン３３が挿通される。治療部２Ｙは、取付部２Ｘの左右両外側に設けられ、治療部２Ｙの身体側部２１には導電層２ａが露出している。
【０１０２】
導電層２ａは、取付部２Ｘにおける本体部４に対向する表面にも露出しており、この露出部分がパッド側電極部２２を構成する。パッド側電極部２２は、本体部側電極部４３との電気的接続のために形成されており、取付部２Ｘの一端に、一方の電極部（たとえば＋極）に対応した導電層２ａが露出しており、取付部２Ｘの他端に、他方の電極部（たとえば−極）に対応した導電層２ａが露出している。
【０１０３】
図１０を参照して、ホルダ３は、板状の形状を有するパッド保持部３１と、パッド保持部３１の両端から起立する一対の壁部３２とを備える。パッド保持部３１の上面３１１に、パッド２の取付部２Ｘが配置される。上面３１１と取付部２Ｘとの間には、必要に応じて、両面粘着テープ、のり、接着剤などが配置される。
【０１０４】
パッド保持部３１には、位置決め突起３１２が設けられている。パッド２に設けられた窓部２３の内周縁を位置決め突起３１２に合わせることで、ホルダ３に対してパッド２が位置決めされる。パッド保持部３１の中央には、インターロックピン３３も設けられる。パッド２をホルダ３に取り付ける際、インターロックピン３３は貫通孔２Ｈの中に挿通される。
【０１０５】
パッド２は消耗品であるので、交換の際には、パッド２は本体部４に対して着脱可能とされている。本実施の形態では、ホルダ３がパッド２を保持することで両者が一体となっており、パッド２およびホルダ３に対して本体部４を着脱するよう構成されている。パッド２はホルダ３ごと交換されるが、必要に応じてホルダ３を再利用することも不可能ではない。
【０１０６】
図９および図１０を参照して、本体部４は、略直方体の形状を有するケース４ａを外装体として含んでいる。ケース４ａとホルダ３との間には、誘導係合部５（図９）が形成されており、本体部４（ケース４ａ）は、ホルダ３に着脱可能に取り付けられる。誘導係合部５は、ケース４ａの側面４１に形成された突起５１（図１０）と、ホルダ３の壁部３２に形成された溝部５２（図１０）とから構成される。
【０１０７】
図１０を参照して、溝部５２は、縦溝部５２１と横溝部５２２とを含む。縦溝部５２１は、縦方向に形成され、上方が開口している。横溝部５２２は、横方向に形成され、両端が開口している。突起５１および溝部５２は、本体部４をホルダ３に取り付ける際には、両者が正対する方向に両者が接近移動して係合に至る。ホルダ３に対して本体部４を回転移動させることで両者の係合が解除され、本体部４をホルダ３から取り外すことができる。
【０１０８】
本体部４は、ホルダ３に取り付けられた状態で、パッド２の導電層２ａに低周波パルス電流を供給する。具体的には、本体部４は、一対の本体部側電極部４３、基板（図示しない）、電気回路（図示しない）、および、インターロック機構（図示しない）を備える。電気回路は、各種の制御機器を含み、基板の表面上に実装されている。
【０１０９】
制御機器は、各種処理を実行するためのプロセッサ、プログラムやデータなどを格納するためのメモリ、端末装置１０と各種データを無線通信するための通信インターフェイス、電源電圧の昇圧、低周波パルス電流（治療電流）の生成および出力等を行なうための波形生成出力装置等を含む。
【０１１０】
基板、電気回路、インターロック機構は、本体部４（ケース４ａ）内部に設けられる。本体部４（ケース４ａ）内部には、電池等の電源（図示しない）も設けられる。ケース４ａの外部には、スイッチ４８Ｓ、ＬＥＤ（light  emitting  diode）等の表示部（図示しない）、およびボタン（図示しない）等が設けられる。
【０１１１】
本体部４がホルダ３に取り付けられた状態では、本体部側電極部４３の先端部がパッド側電極部２２に当接する。これにより、本体部側電極部４３とパッド側電極部２２とが導通し、電気回路はパッド側電極部２２に低周波パルス電流を供給可能となる。
【０１１２】
（端末装置１０の構成）
図１１は、実施の形態２に従う端末装置１０のハードウェア構成の一例を表わすブロック図である。図１１を参照して、端末装置１０は、主たる構成要素として、プロセッサ１５２と、メモリ１５４と、入力装置１５６と、ディスプレイ１５８と、無線通信部１６０と、メモリインターフェイス（Ｉ／Ｆ）１６４と、通信インターフェイス（Ｉ／Ｆ）１６６と、スピーカ１６８と、マイク１７０とを含む。
【０１１３】
プロセッサ１５２は、典型的には、ＣＰＵやＭＰＵといった演算処理部である。メモリ１５４は、ＲＡＭ、ＲＯＭ、フラッシュメモリなどによって実現される。
【０１１４】
入力装置１５６は、端末装置１０に対する操作入力を受け付ける。典型的には、入力装置１５６は、タッチパネルによって実現される。タッチパネルは、表示部としての機能を有するディスプレイ１５８上に設けられており、例えば、静電容量方式タイプである。タッチパネルは、所定時間毎に外部物体によるタッチパネルへのタッチ操作を検知し、タッチ座標をプロセッサ１５２に入力する。ただし、入力装置１５６は、ボタンなどを含んでいてもよい。
【０１１５】
無線通信部１６０は、通信アンテナ１６２を介して移動体通信網に接続し無線通信のための信号を送受信する。これにより、端末装置１０は、たとえば、ＬＴＥ（Long  Term  Evolution）などの移動体通信網を介して他の通信装置との通信が可能となる。
【０１１６】
メモリインターフェイス１６４は、外部の記憶媒体１６５からデータを読み出す。プロセッサ１５２は、メモリインターフェイス１６４を介して記憶媒体１６５に格納されているデータを読み出して、当該データをメモリ１５４に格納する。プロセッサ１５２は、メモリ１５４からデータを読み出して、メモリインターフェイス１６４を介して当該データを外部の記憶媒体１６５に格納する。
【０１１７】
記憶媒体１６５は、ＣＤ（Compact  Disc）、ＤＶＤ（Digital  Versatile  Disk）、ＢＤ（Blu-ray（登録商標）  Disc）、ＵＳＢ（Universal  Serial  Bus）メモリ、ＳＤ（Secure  Digital）メモリカードなどの不揮発的にプログラムを格納する媒体を含む。
【０１１８】
通信インターフェイス（Ｉ／Ｆ）１６６は、端末装置１０と電気治療器２０との間で各種データをやり取りするための通信インターフェイスであり、アダプタやコネクタなどによって実現される。通信方式としては、例えば、ＢＬＥ、無線ＬＡＮなどによる無線通信方式が採用される。
【０１１９】
スピーカ１６８は、プロセッサ１５２から与えられる音声信号を音声に変換して端末装置１０の外部へ出力する。マイク１７０は、端末装置１０に対する音声入力を受け付けて、当該音声入力に対応する音声信号をプロセッサ１５２に与える。
【０１２０】
（機能構成）
電気治療器２０は、図５に示した電気治療器２００の構成のうち、治療内容設定部３０２、出力制御部３０４および治療実行部３０６と同様の構成を有する。これらの各構成は、電気治療器２０の本体部４に含まれる制御機器により実現される。また、図５に示す表示制御部３０８は、端末装置１０のプロセッサ１５２により実現される。実施の形態１では、ユーザは、入力インターフェイス２３０を介して、電気治療器２００に各種指示を与えていた。実施の形態２では、ユーザは、入力装置１５６を介して端末装置１０に各種指示を与え、当該指示が端末装置１０から電気治療器２０に送信されることにより、間接的に電気治療器２０に当該各種指示を与える。すなわち、電気治療器２０は、端末装置１０を介して、ユーザからの指示入力を受け付ける。より具体的には、電気治療器２０は、通信インターフェイスを介して、端末装置１０から送信される、ユーザからの指示入力を受信する。
【０１２１】
また、実施の形態１では、プラス極性の一方のパッド２７０の電極と、マイナス極性の他方のパッド２７０の電極との間に電圧を印加することにより、治療部位に治療電流を流す構成であった。実施の形態２では、１つのパッド２に、プラス極性およびマイナス極性にそれぞれ対応する２つの電極部が形成されているため、これら電極間にパルス電圧波形を印加することにより、治療部位に治療電流を流す構成となる。
【０１２２】
また、実施の形態１において電気治療器２００が上述した処理を実行するためにメモリ２２０に記憶されている各種情報は、典型的には、電気治療器２０のメモリに記憶される。ただし、一部の情報を端末装置１０のメモリ１５４に記憶する構成であってもよい。
【０１２３】
電気治療器２０は、ユーザに報知するために必要な情報、端末装置１０に記憶させるための情報等を端末装置１０に送信するように構成されている。これにより、端末装置１０は、上述した電気刺激強度の調整パターンの選択画面、電気刺激強度ＳＴを用いた治療の実行に対する許可を求める許可画面等をディスプレイ１５８に表示することができる。
【０１２４】
＜その他の実施の形態＞
（１）上述した実施の形態１では、一対のパッド２７０を用いる構成について説明したが、当該構成に限られず、１つのパッドにプラス極性用の電極と、マイナス極性用の電極とを形成するように構成されていてもよい。
【０１２５】
（２）上述した実施の形態において、コンピュータを機能させて、上述のフローチャートで説明したような制御を実行させるプログラムを提供することもできる。このようなプログラムは、コンピュータに付属するフレキシブルディスク、ＣＤ（Compact  Disk  Read  Only  Memory）、二次記憶装置、主記憶装置およびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１２６】
プログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本実施の形態にかかるプログラムに含まれ得る。
【０１２７】
また、本実施の形態にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本実施の形態にかかるプログラムに含まれ得る。
【０１２８】
（３）上述の実施の形態として例示した構成は、本発明の構成の一例であり、別の公知の技術と組み合わせることも可能であるし、本発明の要旨を逸脱しない範囲で、一部を省略する等、変更して構成することも可能である。また、上述した実施の形態において、その他の実施の形態で説明した処理や構成を適宜採用して実施する場合であってもよい。
【０１２９】
［付記］
以上のように、本実施形態は以下のような開示を含む。
【０１３０】
［構成１］
ユーザにより指定された治療内容を設定する治療内容設定部（３０２）と、
前記ユーザの身体の部位に接触する複数の電極へ印加されるパルス電圧を制御することにより、前記治療内容に従って前記部位の治療を行なう治療実行部（３０６）と、
前記治療実行部（３０６）により前記部位の治療が行なわれる前に、所定の周波数範囲に含まれる第１周波数のパルス電圧を出力する出力制御部（３０４）とを備え、
前記第１周波数のパルス電圧が出力された場合に、前記治療内容設定部（３０２）は、ユーザが希望する電気刺激強度の入力を受け付け、
前記治療実行部（３０６）は、前記ユーザが希望する電気刺激強度に対応するパルス電圧を前記所定の周波数範囲において変化させることにより前記部位の治療を実行する、電気治療器（２００）。
【０１３１】
［構成２］
前記出力制御部（３０４）は、前記電気刺激強度を徐々に増大させ、当該電気刺激強度に対応するパルス電圧を前記第１周波数で出力する、構成１に記載の電気治療器（２００）。
【０１３２】
［構成３］
前記第１周波数は、前記所定の周波数範囲における最大周波数、または２０Ｈｚ〜６０Ｈｚの範囲内の周波数である、構成１または２に記載の電気治療器（２００）。
【０１３３】
［構成４］
前記第１周波数のパルス電圧が出力された場合に、前記治療内容設定部（３０２）は、前記ユーザが希望する第１電気刺激強度の入力を受け付け、
前記出力制御部（３０４）は、前記第１電気刺激強度に対応するパルス電圧を、前記周波数範囲に含まれる第２周波数で出力し、
前記第１電気刺激強度に対応するパルス電圧が前記第２周波数で出力され、前記第１電気刺激強度を用いた前記部位の治療の実行が前記ユーザにより許可された場合、前記治療実行部（３０６）は、前記第１電気刺激強度に対応するパルス電圧を前記周波数範囲において変化させることにより前記部位の治療を実行する、構成１または２に記載の電気治療器（２００）。
【０１３４】
［構成５］
前記第１周波数は、前記所定の周波数範囲における最大周波数であり、
前記第２周波数は、２０Ｈｚ〜６０Ｈｚの範囲内の周波数である、構成４に記載の電気治療器（２００）。
【０１３５】
［構成６］
前記治療実行部（３０６）は、前記周波数範囲における最小周波数から最大周波数へと増加する周波数の方向に掃引し、そして、前記最大周波数から前記最小周波数へと減少する周波数の方向に掃引することにより、前記パルス電圧の周波数を変化させる、構成１〜５のいずれか１項に記載の電気治療器（２００）。
【０１３６】
［構成７］
前記電気治療器（２００）は、低周波治療器である、構成１〜６のいずれか１項に記載の電気治療器（２００）。
【０１３７】
［構成８］
電気治療器（２００）の制御方法であって、
ユーザにより指定された治療内容を設定するステップと、
前記ユーザの身体の部位に接触する複数の電極へ印加されるパルス電圧を制御することにより、前記治療内容に従って前記部位の治療を実行するステップと、
前記実行するステップにより前記部位の治療が行なわれる前に、所定の周波数範囲に含まれる第１周波数のパルス電圧を出力するステップとを含み、
前記第１周波数のパルス電圧が出力された場合に、前記設定するステップは、ユーザが希望する電気刺激強度の入力を受け付けることを含み、
前記実行するステップは、前記ユーザが希望する電気刺激強度に対応するパルス電圧を前記所定の周波数範囲において変化させることにより前記部位の治療を実行することを含む、制御方法。
【０１３８】
［構成９］
端末装置（１０）と、
前記端末装置（１０）と無線通信可能に構成された電気治療器（２０）とを備え、
前記電気治療器（２０）は、
ユーザにより指定された治療内容を設定する治療内容設定部（３０２）と、
前記ユーザの身体の部位に接触する複数の電極へ印加されるパルス電圧を制御することにより、前記治療内容に従って前記部位の治療を行なう治療実行部（３０６）と、
前記治療実行部（３０６）により前記部位の治療が行なわれる前に、所定の周波数範囲に含まれる第１周波数のパルス電圧を出力する出力制御部（３０４）とを備え、
前記第１周波数のパルス電圧が出力された場合に、前記治療内容設定部（３０２）は、前記端末装置（１０）を介してユーザが希望する電気刺激強度の入力を受け付け、
前記治療実行部（３０６）は、前記ユーザが希望する電気刺激強度に対応するパルス電圧を前記所定の周波数範囲において変化させることにより前記部位の治療を実行する、治療システム（１）。
【０１３９】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１４０】
１  治療システム、２，２７０  パッド、２Ｈ  貫通孔、２Ｘ  取付部、２Ｙ  治療部、２ａ  導電層、３  ホルダ、４  本体部、４ａ  ケース、５  誘導係合部、１０  端末装置、２０Ａ，２０Ｂ，２００  電気治療器、２１  身体側部、２２  パッド側電極部、２３  窓部、３０  ネットワーク、３１  パッド保持部、３２  壁部、３３  インターロックピン、４０  サポータ、４１  側面、４３  本体部側電極部、４８Ｓ  スイッチ、５１  突起、５２  溝部、１５２，２１０  プロセッサ、１５４，２２０  メモリ、１５６  入力装置、１５８，２６０  ディスプレイ、１６０  無線通信部、１６２  通信アンテナ、１６４  メモリインターフェイス、１６５  記憶媒体、１６８  スピーカ、１７０  マイク、２０５  制御機器、２３０  入力インターフェイス、２４０  電源部、２５０  波形生成出力装置、２８０  コード、２８２  プラグ、３０２  治療内容設定部、３０４  出力制御部、３０６  治療実行部、３０８  表示制御部、３１１  上面、３１２  位置決め突起、５２１  縦溝部、５２２  横溝部。
【図１】
2019083995.tif 000003
【図２】
2019083995.tif 000004
【図３】
2019083995.tif 000005
【図４】
2019083995.tif 000006
【図５】
2019083995.tif 000007
【図６】
2019083995.tif 000008
【図７】
2019083995.tif 000009
【図８】
2019083995.tif 000010
【図９】
2019083995.tif 000011
【図１０】
2019083995.tif 000012
【図１１】
2019083995.tif 000013